(57)【特許請求の範囲】
【請求項１】
患者用ベッド（１４）の二つのセグメント（２２、２４）の節接続のための接続配置構造であって、
それぞれが上記セグメント（２２、２４）のうちの一つに固定され、シャフトジャーナル（４６）によって共通の接続軸（６４）廻りに互いに対して回転可能な二つの接続部（３６、３８）を備え、
上記接続部（３６、３８）がそれぞれ、軸方向に互いに対向する面のうちの少なくとも一つに、互いを支えるように意図されたブロック面（６０、６２）を有し、
上記接続部（３６、３８）が、緊張機構（４６、４８、５４、５０）によって互いに対して軸方向に緊張されることが可能であり、
上記ブロック面（６０、６２）がそれぞれ、上記接続軸（６４）を含む平面に少なくともほぼ位置する接続配置構造において、
上記接続部のうちの一方が、他方の接続部に連結された上記シャフトジャーナル（４６）に半径方向に押し付けられることが可能であるフォークとして設けられ、
上記シャフトジャーナル（４６）が、半径方向に突出し、上記フォークが上記シャフトジャーナル（４６）に押し付けられた後に残るフォーク開口部を閉じるような大きさである緊締要素（６６）を有することを特徴とする接続配置構造。
【請求項２】
上記接続部（３６、３８）が、互いに対向する面に、鋸歯状面を有する鋸歯（５６、５８）を有することを特徴とする請求項１に記載の接続配置構造。
【請求項３】
上記緊締要素（６６）が、上記シャフトジャーナル（４６）に自由に回転可能に装着されることを特徴とする請求項１又は２に記載の接続配置構造。
【請求項４】
上記接続部のうちの一つに、少なくとも上記ブロック面（６０、６２）によってブロックされた移動方向への、上記接続部（３６、３８）の相対移動を防止するために、上記二つの接続部（３６、３８）の所定の回転位置の少なくとも一つで、それぞれ他方の接続部との係合をもたらす、分離可能なロック要素（７２、７６）が配置されることを特徴とする請求項１から３のうちの一つに記載の接続配置構造。
【請求項５】
上記シャフトジャーナル（４６）が、上記緊張機構のタイロッドとして設けられ、その軸方向の一端にて、上記接続部のうちの一つに支持された止め（４８）に連結されることを特徴とする請求項１から４のうちの一つに記載の接続配置構造。
【請求項６】
上記緊張機構が、上記シャフトジャーナル（４６）に連結された偏心レバー（５０）を備えることを特徴とする請求項５に記載の接続配置構造。
【請求項７】
上記緊張機構が、上記シャフトジャーナル（４６）に螺合係合されたスクリューグリップを備えることを特徴とする請求項５に記載の接続配置構造。
【発明の詳細な説明】
【技術分野】
【０００１】
本発明は、患者用ベッドの二つのセグメントの節接続のための接続配置構造であって、それぞれがベッドセグメントのうちの一つに固定され、シャフトジャーナルによって共通の接続軸廻りに互いに対して回転可能な二つの接続部を有し、接続部がそれぞれ、軸方向に互いに対向する面のうちの少なくとも一つに、互いを支えるように意図されたブロック面を有し、接続部が、緊張機構によって互いに対して軸方向に緊張されることが可能である接続配置構造に関する。
【背景技術】
【０００２】
上述のタイプの接続配置構造は、例えば、独国特許出願公開第１０２５３９０６Ａ１号明細書（特許文献１）により既知である。そこに記述された接続配置構造では、接続部の互いに対向する面が、対称な鋸歯状面を有する鋸歯を有する。この接続配置構造が通常、緊張機構が有効な限り、互いに対するセグメントのそれぞれの設定位置に確実に保持することを保証する。既知の実施形態では、緊張機構が、シャフトジャーナルに回転可能に装着される偏心レバーを備える。偏心レバーは動かされた場合にタイロッドとして作用し、これによって、二つの接続部は鋸歯状面で互いに対して緊張される。
【０００３】
【特許文献１】独国特許出願公開第１０２５３９０６Ａ１号明細書
【発明の開示】
【発明が解決しようとする課題】
【０００４】
少なくともベッドセグメントに荷重（負荷）がかけられる場合に、斜めの歯元面は、接続部を互いに遠ざけるように押すことを試みる広げる力を生じさせる。緊張機構が確実に固定されていないか、或いは、例えば偏心レバーが誤って開方向に調節されると、荷重（負荷）がかけられたベッドセグメントが不意に下方へ揺動する危険がある。この危険は、特に患者の全体重がそれぞれのベッドセグメントに支えられている場合に大きい。
【０００５】
本発明の目的は、上述のタイプの接続配置構造であって、高い荷重を支えることができ、機能的に信頼性の高い接続配置構造を提供することにある。
【課題を解決するための手段】
【０００６】
この目的は、本発明によれば、ブロック面がそれぞれ、接続軸を含む平面に少なくともほぼ位置することにより、達成される。
【０００７】
本発明に係る接続配置構造では、ブロック面はそれらの平面に直角に荷重（負荷）がかけられ、その結果、荷重（負荷）は、接続部を互いに遠ざけるように押そうとする（押そうと試みる）、いかなる広げる力をも生じさせない。したがって、それぞれのベッドセグメントから荷重（負荷）が取り除かれる前に、緊張機構が完全に締められていなかったり誤って開かれたとしても、ブロック面は、変わらずに、互いの係合を維持する。その結果、荷重（負荷）がかけられたベッドセグメントの突然の下方への揺動が回避される。好ましくは、接続部は、互いに対向する面に、鋸歯状面を有する鋸歯を有する。その結果、シャフトジャーナルの軸廻りに関してベッドセグメントを少しずつ調節することが可能である。
【０００８】
本発明に係る接続配置構造を介して互いに接続されたベッドセグメントを、単純な方法で互いから分けることもできるように、接続部のうちの一つが、他の接続部に連結されたシャフトジャーナルに半径方向に押し付けられることができるフォークとしてそれ自体既知の方法で設けられていると良い。その場合、安全性を向上させるために、シャフトジャーナルが緊締要素を備える。緊締要素は、半径方向に突出し、閉じる（つまり、フォークをシャフトジャーナルに押し付けた後に残るフォーク開口部を少なくともほぼ塞ぐ）ような大きさになっている。
【０００９】
フォーク開口部を閉じることが、フォークをシャフトジャーナルに押し付けた後に、オペレータが、指をフォーク開口部に入れる事態を防止する。また、オペレータが、フォークに接続されたベッドセグメントの回転中に、指をフォークの脚部と他のベッドセグメントの固定部との間にはさむ事態を防止する。
【００１０】
好ましくは、緊締要素が、シャフトジャーナルに自由に回転可能に装着される。その結果、それが、シャフトジャーナルの位置とは無関係に、フォーク開口部のそれぞれの位置に常にセットされる。
【００１１】
さらなる緊締のために、本発明に係る接続配置構造では、接続部のうちの一つに、分離可能なロック要素を配置することができる。それは、少なくともブロック面によってブロックされた移動方向への、接続部の相対移動を防止するために、二つの接続部の所定の回転位置の少なくとも一つで、それぞれ他方の接続部との係合をもたらす。例えば、ベッドセグメントのうちの一つがほぼ垂直に下方に垂れ下げられ、本発明に係る接続配置構造を介して接続したベッドセグメントを再びほぼ水平に指向される状況にセグメントをセットする。その結果、患者が、後側のベッド要素上にひざまずくことができる。その場合、実質的に彼の全体重が水平なベッド部にかかるので、特に接続配置構造の緊張機構が不注意に開かれる場合でさえ、このベッドセグメントが突然下方に揺動しないことを保証することが必要である。
【００１２】
タイロッド及び偏心レバーを有する上述の緊張機構に代えて、緊張機構はまたスクリューグリップを備えても良い。スクリューグリップはシャフトジャーナルに螺合係合され、二つの接続部は、シャフトジャーナルに螺合されたスクリューグリップによって互いに対して緊張される。
【００１３】
本発明のさらなる特徴及び利点は、例示の実施形態によって本発明を説明する以下の説明及び添付の図面から明らかになるだろう。
【発明を実施するための最良の形態】
【００１４】
図１は、極めて概略的に例示され、テーブルコラム１０と、そのテーブルコラム１０のコラムヘッド１２上に配置されたベッド１４とを有する手術台を示す。ベッド１４は、互いに連結され且つ互いに対して接続部２６、２８、３０、３２を介して調整可能な複数のセグメント１６、１８、２０、２２及び２４からなる。ベッド部、或いは、ベッドセグメント２２及び２４は、セグメント２２がほぼ垂直に下方に向けられ且つセグメント２２の下端が水平に向けられたセグメント２４を支持するように、設定される。患者３４が、直腸サポートとして既知であるセグメント２４上でひざまずく。患者の体重がほぼ完全にベッドセグメント２４に載ることが明らかである。特にこのような例では、ベッド部２４への負荷が取り除かれる前に接続配置構造を閉じる緊張機構が不注意に緩められるか或いは完全に開いたとしても、ベッドセグメント２４が徐々に或いは突然に完全に下方に揺動されない位置に、接続部３２を固定することができることを保証することが必要である。
【００１５】
この目的を達成する接続配置構造が、図２から図８を参照して、より詳細に説明される。
【００１６】
図２は、大腿部及び下脚部のサポートとして機能し、本発明に係る接続配置構造３２によって互いに連結された二つのベッドセグメント２２及び２４を示す。接続配置構造３２は、ベッドセグメント２２に割り振られた接続部３６と、ベッド部２４に割り振られた接続部３８とを備える（図３）。接続部３６は、ベッド部２２の桁４２の二つの互いに平行な端部３９、４０に形成される。上記端部は、それらの間に、ベッドセグメント２４にフォーク形状（また形状）で設けられた接続部３８を押し付けることができる隙間（ギャップ）４４を形成する。二つの端部３９、４０を貫通して、シャフトジャーナル４６が延出する。シャフトジャーナル４６は、端部３９及び端部４０において自由に回転可能であり、タイロッドとして設けられる。シャフトジャーナル４６は、その一端にて円筒状のスラスト片４９の外周に支えられたフランジ４８を支持する。スラスト片４９は、端部４０の穴に軸方向に変位可能に装着され、ほぼ半径方向に突出する拡張部５１により端部４０に対する回転が固定される。拡張部５１は、端部４０の相補的な隙間に係合される（図６）。シャフトジャーナル４６が、その他端にて偏心レバー５０を支持する。偏心レバー５０は、シャフトジャーナル４６に軸５２廻りに連結され、スラスト片５４に作用する。スラスト片５４は、シャフトジャーナル４６に軸方向に変位可能に装着され、セグメント２２の桁４２の端部３９の穴に支持される。図３中に例示された位置に回転された偏心レバー５０によって、二つの端部３９及び４０間に押し付けられたフォーク形状の接続部３８は、桁４２の端部４０の内側とスラスト片４９との間で緊張される。そのような偏心的な緊張機構自体は既知である。
【００１７】
鋸歯状面を有する鋸歯リング５６が、スラスト片４９の内側面に形成される。フォーク形状の接続部３８が、スラスト片４９に対向する面にて、相補的な鋸歯状面を有する鋸歯リング５８を支持する。鋸歯状面５６及び５８の険しく短い歯元面６０、６２がそれぞれ、少なくとも接続配置構造３２の軸６４を含む平面（つまり、接続配置構造３２の半径方向の平面）にほぼ位置している。二つの接続部３６及び３８が、緊張機構４６、５０、５４を介して互いに対して緊張される場合、鋸歯状面５６及び５８が互いに係合され、歯元面６０及び６２が互いに支えられる。そこで、例えば、図１中に例示された方法でベッドセグメント２４に荷重（負荷）がかけられる場合、その力は回転移動に対するブロック面として作用する歯元面６０、６２に周方向に直角に作用する。その結果、高い荷重（負荷）の下でさえ、鋸歯リング５６、５８を押しそれにより接続部３６、３８を互いに分ける、軸方向に広がる力は発生しない。偏心レバーがベッドセグメント２４に荷重（負荷）がかけられた下で解放位置に回転されても、通常、二つの接続部３８及び３６は互いに関して軸方向に任意に変位されないだろう。その結果、そのような誤操作の場合でさえ、ベッドセグメント２４はベッドセグメント２２に対する位置を保持する。
【００１８】
機能性及び作動の信頼性を向上するために、半径方向に延出する拡張部６６が、シャフトジャーナルに自由に回転可能に装着される（図８）。図８に示されるように、拡張部６６は、フォーク形状の接続部３８の一様でない（異なる）長さの二つのフォーク形状の脚部６８及び７０のうち長い方の脚部６８で終わるような形状とされる。同時に、拡張部６６が、フォーク形状の接続部３８がシャフトジャーナル４６に押し付けられた後に残るフォーク開口部を完全に塞ぐ。フォーク形状の接続部３８がシャフトジャーナル４６に押し付けられた場合、拡張部６６は、フォーク形状の脚部６８に対して図８に例示する位置をとるように、自動的にセットされる。拡張部６６が、フォーク開口部内にいかなる部分をも係合することを防止し、互いに対するベッドセグメント２２、２４の調整を妨げる。オペレータがフォーク開口部内で指を挟むこともまた防止される。
【００１９】
さらに、接続部３６を支持するベッドセグメント２２の桁４２に、ロックボタン７２が軸７４廻りに回転可能に装着される。上記ロックボタンは、短い方のフォーク形状の脚部７０に対してロックノーズ７６を支え、ベッド部２４がベッド部２２と少なくともほぼ正しい角度をなす場合に拡張部６６上に支持される。ロックノーズ７６を有するロックボタン７２は、偏心レバー５０がその開位置に回転され且つ鋸歯状面５６、５８の係合が解かれた場合であっても、ベッドセグメント２２及び２４が図８に例示される角度位置を脱して伸長位置に回転することを防止する。ロックノーズ７６が拡張部６６を解放するようにロックボタン７２が回転する場合に限り、ベッドセグメント２４は図８の通り反時計廻りに回転されることが可能で、拡張部６６及びフォーク形状の脚部６８はロックノーズ７６の下をスライドする。これによって、互いに対してベッド部２２及び２４が故意でなく回転することに対する一層の安全性を保証する。互いに対するベッドセグメントの調整を容易にし且つ操作を単純化するために、スプリング手段を接続部間に設けることが可能である。上記スプリング手段は、緊張機構が開かれ且つベッドセグメントの荷重（負荷）が解放されるとすぐ、接続部を互いに押し分ける。
【図面の簡単な説明】
【００２０】
【図１】図１は、本発明がもとにする課題を説明するために、ベッドセグメントの特別位置における手術台の概略側面図を示す。
【図２】図２は、本発明に係る接続配置構造によって互いに連結された二つのベッドセグメントの斜視図を示す。
【図３】図３は、互いに連結されたベッドセグメントの接続部の部分拡大図を示す。
【図４】図４は、図３中に例示されたフォーク形状の接続部の矢印Ａ方向の図を示す。
【図５】図５は、図２中に例示され、互いに関して９０度回転された位置におけるベッドセグメントの斜視図を示す。
【図６】図６は、図５中に例示されるようなベッドセグメントの相対位置における接続配置構造の詳細の拡大図を示す。
【図７】図７は、図３にほぼ対応し、接続部が部分的に切断されたシャフトジャーナルを備える接続配置構造の概略図を示す。
【図８】図８は、図５及び図６中に再現されるような接続部の相対位置における接続配置構造の部分破断図を示す。
【図９】図９は、軸を含む接続配置構造の断面図を示す。
【図１】
0004846529.tif 000002
【図２】
0004846529.tif 000003
【図３】
0004846529.tif 000004
【図４】
0004846529.tif 000005
【図５】
0004846529.tif 000006
【図６】
0004846529.tif 000007
【図７】
0004846529.tif 000008
【図８】
0004846529.tif 000009
【図９】
0004846529.tif 000010